(57)【特許請求の範囲】
【請求項１】
裏面に収納凹部が形成された木質系基材と、該収納凹部に収納された潜熱蓄熱材とを少なくとも備えた木質系床材であって、
前記木質系床材の表面には、前記潜熱蓄熱材の相変化温度と同じ第１変色温度で変色する可逆式の第１の示温材と、前記第１変色温度よりも低い第２変色温度で変色する可逆式の第２の示温材と、が配置されており、
前記第１および第２の示温材が変色しかつ前記潜熱蓄熱材が液相である状態から、前記潜熱蓄熱材が固相状態に相変化する段階において、
前記潜熱蓄熱材の温度が相変化温度に保持され、前記第１の示温材の色が元の色に戻った状態で、前記第２の示温材の変色を維持し、前記潜熱蓄熱材が固相状態になってから前記第２の示温材の色が元の色に戻るように、前記第２変色温度が設定されていることを特徴とする木質系床材。
【請求項２】
裏面に収納凹部が形成された木質系基材と、該収納凹部に収納された潜熱蓄熱材とを少なくとも備えた木質系床材であって、
前記木質系床材の表面には、前記潜熱蓄熱材の相変化温度と同じ第１変色温度で変色する可逆式の第１の示温材と、前記第１変色温度よりも低い第２変色温度で変色する可逆式の第２の示温材と、が配置されており、
前記第１の示温材の色が元の色に戻った状態で、かつ、前記潜熱蓄熱材が液相状態から固相状態に相変化する段階で前記潜熱蓄熱材の温度が相変化温度で保持された際に、該潜熱蓄熱材の温度の保持により、前記第２の示温材の温度が、前記相変化温度よりも低い一定温度に保持されたときの温度に、前記第２変色温度が設定されていることを特徴とする木質系床材。
【請求項３】
前記木質系基材の表面には、前記収納凹部に貫通する貫通孔が形成されており、前記貫通孔には、前記潜熱蓄熱材に当接するように嵌挿された透明の樹脂材または透明のガラス材が設けられており、該樹脂材またはガラス材と前記潜熱蓄熱材とが当接する部分には、前記潜熱蓄熱材の相変化温度と同じ温度で変色する第３の示温材が配置されていることを特徴とする請求項１または２に記載の木質系床材。
【請求項４】
裏面に収納凹部が形成された木質系基材と、該収納凹部に収納された潜熱蓄熱材とを少なくとも備えた木質系床材であって、
前記木質系床材の表面には、前記潜熱蓄熱材の相変化温度と同じ温度で変色する可逆式の第１の示温材が配置され、
前記木質系基材の表面には、前記収納凹部に貫通する貫通孔が形成されており、前記貫通孔には、前記潜熱蓄熱材に当接するように嵌挿された透明の樹脂材または透明のガラス材が設けられており、該樹脂材またはガラス材と前記潜熱蓄熱材とが当接する部分には、前記潜熱蓄熱材の相変化温度と同じ温度で変色する第２の示温材が配置されていることを特徴とする木質系床材。
【発明の詳細な説明】
【技術分野】
【０００１】
本発明は、裏面に収納凹部が形成された木質系基材と、該収納凹部に収納された潜熱蓄熱材とを少なくとも備えた木質系床材に係り、特に、潜熱蓄熱材を好適に活用することができる木質系床材に関する。
【背景技術】
【０００２】
従来から、床暖房用の木質系床材は、木質系基材の裏面に、収納凹部が形成されており、収納凹部には、たとえば温水パイプや電気式ヒータなどの熱源が収納されている。そして、この木質系床材を床下地面に敷設し、実部を介してこれらを連結させている。
【０００３】
近年、耐環境性の観点をすべく、このような床材の技術分野においても、室内暖房時に発生する熱エネルギや、日射光などの自然エネルギをより有効に活用するような研究・開発が盛んに取り組まれており、これらの研究・開発に基づいた省エネおよびエコ対策が講じられている。
【０００４】
このような点を鑑みて、近年では、蓄熱材を用いた木質系床材の開発がなされている。ここでは、蓄熱材として、融点（相変化温度）以上の温度で蓄熱することができる潜熱蓄熱材が注目されており、この潜熱蓄熱材を利用した様々な木質系床材が提案されている（たとえば、特許文献１参照）。
【０００５】
そして、このような潜熱蓄熱材は、他の技術分野においても、多岐にわたって使用されており、たとえば、潜熱蓄熱材を有効に利用するために、潜熱蓄熱材が融点（相変化温度）を超えたかを測定するサーモスタットを備えた採暖装置等が提案されている（たとえば、特許文献２参照）。
【先行技術文献】
【特許文献】
【０００６】
【特許文献１】特開２００５−９８２９号公報
【特許文献２】特開昭６１−５８４３号公報
【発明の概要】
【発明が解決しようとする課題】
【０００７】
たとえば、特許文献１の如き木質系床材を用いた場合、潜熱蓄熱材の近傍には、床暖房用の熱源が配置されているため、潜熱蓄熱材を有効に活用するには、この熱源を電気的に制御すればよい。
【０００８】
しかしながら、このような熱源が無い木質系床材を用いて、日射光などの熱または室内暖房による熱などを有効に活用する場合には、潜熱蓄熱材が蓄熱状態・放熱状態等、どのような状態にあるかを把握することが重要である。
【０００９】
具体的には、潜熱蓄熱材が蓄熱状態にあるにもかかわらず、日射光を遮断したり、室内暖房を停止してしまったりすることがある。一方、潜熱蓄熱材が放熱状態（潜熱蓄熱剤に蓄熱された熱を外部に放熱している状態）にあり、潜熱蓄熱材を蓄熱する必要が無いにもかかわらず、室内暖房を過剰に運転してしまったりすることがある。この結果、潜熱蓄熱材を有効に利用することができないことがある。
【００１０】
そこで、特許文献２の如きサーモスタットの原理を用いれば、潜熱蓄熱材の相変化温度（融点）の到達を監視することができる。しかしながら、このような監視を行なったとしても、潜熱蓄熱材の上述した状態を十分には把握することはできない。
【００１１】
本発明は、このような点を鑑みてなされたものであり、潜熱蓄熱材の状態を把握することにより、日射光、室内暖房等の熱を有効に活用することができる木質系床材を提供することにある。
【課題を解決するための手段】
【００１２】
発明者らは、鋭意検討を重ねた結果、潜熱蓄熱材が放熱状態、蓄熱状態等にある場合には、木質系床材の温度が、その部位によって異なる点に着眼し、少なくとも２つの可逆式の示温材を用いてその変化（変色）を確認することにより、潜熱蓄熱材の状態を判断または推定することができるとの新たな知見を得た。
【００１３】
本発明は、この新たな知見によるものであり、第１の発明に係る木質系床材は、裏面に収納凹部が形成された木質系基材と、該収納凹部に収納された潜熱蓄熱材とを少なくとも備えた木質系床材であって、前記木質系床材の表面には、前記潜熱蓄熱材の相変化温度と同じ温度で変色する可逆式の第１の示温材と、蓄熱された前記潜熱蓄熱材が放熱状態にあるときの前記木質系床材の表面温度と同じ温度で変色する可逆式の第２の示温材と、が配置されていることを特徴とするものである。
【００１４】
本発明によれば、第１の示温材と第２の示温材とは、異なる温度で変化する。具体的には、第１の示温材は、潜熱蓄熱材の相変化温度（融点）と同じ温度で変色する。一方、第２の示温材は、潜熱蓄熱材が放熱状態にあるときには、潜熱蓄熱材が相変化温度で略一定になることを利用したものである。放熱状態において、潜熱蓄熱材の温度が相変化温度で一定となっているときに、木質系基材を介して潜熱蓄熱材から時間当たり一定の熱量が木質系床材の表面に放熱されるので、木質系床材の表面温度は、相変化温度よりもやや低い温度で一定となる。第２の示温材はこの温度と同じ温度で変色するものである。
【００１５】
このような２つの示温材を利用して、本発明では、潜熱蓄熱材の状態を、以下の（１）〜（３）に示すようにして判断または推定することができる。
（１）第１の示温材および第２の示温材が共に変色していない場合には、潜熱蓄熱材が蓄熱および放熱されていないことを目視で容易に判断できる。この場合には、木質系床材の表面に日射光を照射させたり、室内の暖房を運転したりすることにより、潜熱蓄熱材への蓄熱を促すことができる。
【００１６】
（２）第１の示温材および第２の示温材が共に変色している場合には、潜熱蓄熱材が蓄熱されていると推定できる。この場合には、潜熱蓄熱材への蓄熱を促すための室内暖房の運転をさらに行わなくてもよい。
【００１７】
（３）第１の示温材が変色せず、第２の示温材のみが変色した場合には、潜熱蓄熱材が放熱されていると推定できる。すなわち、潜熱蓄熱材が放熱状態にあるときには、潜熱蓄熱材が相変化温度で略一定になり、木質系基材を介して潜熱蓄熱材から時間あたり一定の熱量が放熱されるので、このときの木質系床材の表面の温度は、相変化温度よりもやや低い温度で一定となる。これにより、第２の示温材のみが変色した状態となる。さらに、第２の示温材の変色が元の状態に戻ったときには、潜熱蓄熱材による放熱が完了していると推定できる。これにより、潜熱蓄熱材に蓄熱されたエネルギを有効に活用することができる。
【００１８】
なお、ここで、本発明でいう示温材が「変色する」とは、その温度（第１の示温材の場合には相変化温度と同じ温度）に達したときに、変色したことが視認できるような変色をいい、その温度に達したことを把握することができるのであれば、その温度で示温材の変色が開始する必要はない。そして、このような変色特性を有し、かつ可逆性（その温度未満では元の色に戻る性質）を有する示温材であれば、示温材の形態は、示温インキ、示温テープ、示温ラベル、示温シールなど、特に限定されるものではなく、変色前後の色も特に限定されるものではない。
【００１９】
さらに、第１の発明に係る好ましい態様としては、前記木質系基材の表面には、前記収納凹部に貫通する貫通孔が形成されており、前記貫通孔には、前記潜熱蓄熱材に当接するように嵌挿された透明の樹脂材または透明のガラス材が設けられており、該樹脂材またはガラス材と前記潜熱蓄熱材とが当接する部分には、前記潜熱蓄熱材の相変化温度と同じ温度で変色する第３の示温材が配置されている。
【００２０】
この態様によれば、第３の示温材の変色を、透明の樹脂材または透明のガラス材を介して、木質系床材の表面側から視認することができる。そして、第１、第２、および第３の示温材のすべてが変色している場合には、潜熱蓄熱材が蓄熱状態にあると確実に判断することができる。また、第１及び第２の示温材が変色した状態で、第３の示温材が変色し始めたときに、潜熱蓄熱材への蓄熱の開始を判断することができる。
【００２１】
一方、第１の示温材が変色せず、第２および第３の示温材が変色している場合には、潜熱蓄熱材が放熱されていると判断できる。また、第３の示温材が元の色に戻り始めた時に、潜熱蓄熱材の放熱終了が判断できる。これにより、潜熱蓄熱材への蓄熱を促すための室内暖房の運転等を効率的に行なうことができる。
【００２２】
さらに、第２の発明に係る木質系床材は、裏面に収納凹部が形成された木質系基材と、該収納凹部に収納された潜熱蓄熱材とを少なくとも備えた木質系床材であって、前記木質系床材の表面には、前記潜熱蓄熱材の相変化温度と同じ温度で変色する可逆式の第１の示温材が配置され、前記木質系基材の表面には、前記収納凹部に貫通する貫通孔が形成されており、前記貫通孔には、前記潜熱蓄熱材に当接するように嵌挿された透明の樹脂材または透明のガラス材が設けられており、該樹脂材またはガラス材と前記潜熱蓄熱材とが当接する部分には、前記潜熱蓄熱材の相変化温度と同じ温度で変色する第２の示温材が配置されていることを特徴とする。
【００２３】
本発明によれば、第１および第２の示温材を利用して、潜熱蓄熱材の状態を、以下の（Ａ）〜（Ｃ）に示すようにして判断することができる。なお、第２の発明における第２の示温材の構成は、第１の発明における第３の示温材の構成と同じである。
（Ａ）第１の示温材および第２の示温材が共に変色していない場合には、潜熱蓄熱材が蓄熱および放熱されていないことを目視で判断できる。この場合には、木質系床材の表面に日光を照射させたり、室内の暖房を運転したりすることにより、潜熱蓄熱材への蓄熱を促すことができる。
【００２４】
（Ｂ）第１および第２の示温材が共に変色している場合には、潜熱蓄熱材が蓄熱されていると判断できる。この場合には、潜熱蓄熱材への蓄熱を促すための室内暖房の運転を行わなくてもよい。第１の示温材が変色し始めて、第２の示温材が変色していない場合には、蓄熱が開始される可能性があると判断することができる。
【００２５】
（Ｃ）第１の示温材が変色せず、第２の示温材のみが変色している場合には、潜熱蓄熱材が放熱されていると判断できる。すなわち、潜熱蓄熱材が放熱状態にあるときには、潜熱蓄熱材が相変化温度で略一定になり、木質系基材を介して潜熱蓄熱材から時間あたり一定の熱量が放熱されるので、このときの木質系床材の表面の温度は、相変化温度よりもやや低い温度で一定となる。これにより、木質系床材の表面に配置された第１の示温材は変化しない。従って、放熱状態にあるときは、潜熱蓄熱材への蓄熱を促すための室内暖房の運転を行わなくてもよいので、潜熱蓄熱材に蓄熱されたエネルギを有効に活用することができる。
【００２６】
さらに、第１の示温材が変色していない状態で、第２の示温材の変色が元の状態（変色しない状態）に戻ったときには、潜熱蓄熱材による放熱が完了したと判断できる。これにより、潜熱蓄熱材への蓄熱を促すための室内暖房の運転等を効率的に行なうことができる。
【発明の効果】
【００２７】
第１および第２の発明によれば、潜熱蓄熱材の状態を把握することにより、日射光、室内暖房等の熱を有効に活用することができる。
【図面の簡単な説明】
【００２８】
【図１】第１の発明の第１実施形態に係る木質系床材の模式的斜視図であり、（ａ）は、床面（表面）側の木質系床材の斜視図、（ｂ）は、裏面側の木質系床材の分解斜視図。
【図２】図１に示す木質系床材を床面に敷設したときの断面図。
【図３】図１に示す木質系床材の表面温度Ｔ１および潜熱蓄熱材の温度Ｔ２の温度プロフィールの一例と、これに対応する第１および第２の示温材の変色の状態と、を示したグラフ。
【図４】第１の発明の第２実施形態に係る木質系床材の模式的斜視図であり、（ａ）は、床面（表面）側の木質系床材の斜視図、（ｂ）は、裏面側の木質系床材の分解斜視図。
【図５】図４に示す木質系床材を床面に敷設したときの断面図。
【図６】図４に示す木質系床材の表面温度Ｔ１および潜熱蓄熱材の温度Ｔ２の温度プロフィールの一例と、これに対応する第１〜第３の示温材の変色の状態と、を示したグラフ。
【図７】第３実施形態（第２の発明）に係る木質系床材を床面に敷設したときの断面図。
【図８】図７に示す木質系床材の表面温度Ｔ１および潜熱蓄熱材の温度Ｔ２の温度プロフィールの一例と、これに対応する第１および第３の示温材の変色の状態と、を示したグラフ。
【発明を実施するための形態】
【００２９】
以下、図面を参照して、本実施形態に基づき本発明を説明する。
〔第１実施形態（第１の発明）〕
図１は、第１の発明の第１実施形態に係る木質系床材の模式的斜視図であり、（ａ）は、床面（表面）側の木質系床材の斜視図、（ｂ）は、裏面側の木質系床材の分解斜視図であり、図２は、図１に示す木質系床材を床面に敷設したときの断面図である。
【００３０】
図１（ａ）および（ｂ）に示すように、本実施形態に係る木質系床材１０は、木質系基材１１と、潜熱蓄熱材１７とを少なくとも備えている。
【００３１】
木質系基材１１は、少なくとも床材の剛性および強度を確保ための基材であり、材料としては、広葉樹や針葉樹からなる通常の合板、ＬＶＬ、ＬＶＢ、ＭＤＦ（木質繊維板）、集成材、さらには、これらを任意に積層した積層板、などを挙げることができる。さらに、本実施形態では、図１（ａ）に示すように、木質系基材１１の表面１１ａには、ナラ材、カバ材、ブナ材、チーク材、等の表面化粧材および化粧用表面合成樹脂シートが貼着されている。
【００３２】
また、木質系基材１１の周縁には、雄実部１２ａと雌実部１２ｂとが形成されている。この雄実部１２ａと雌実部１２ｂを係合させることにより、図２に示すように、木質系床材１０を実接合することができる。
【００３３】
また、図１（ｂ）に示すように、木質系基材１１の裏面１１ｂには、収納凹部１５が形成されている。収納凹部１５には、その底部１５ａから開口部１５ｂに向って、潜熱蓄熱材１７が収納されており、潜熱蓄熱材１７は、接着剤を介して収納凹部１５の底部１５ａに貼着されている。
【００３４】
また、潜熱蓄熱材（潜熱蓄熱体）１７は、たとえばＡＢＳ樹脂、ポリプロピレン樹脂などの樹脂成形品の容体１７ａ内に、潜熱蓄熱剤が封入されている。ここで、潜熱蓄熱剤は、日射光により付与される日射熱、または、室内の暖房による熱で溶融する潜熱蓄熱剤であり、好まくは相変化温度が（融点）１８℃〜２８℃の範囲にある潜熱蓄熱材である。具体的には、硫酸ナトリウム水和物、塩化カルシウム水和物、パラフィン（Ｃ１８Ｈ３８）、ポリエチレングリコール（分子量５００〜１０００）などを挙げることができ、この融点以上において蓄熱することができるものであれば、その材料は特に限定されるものではない。
【００３５】
なお、本実施形態では、潜熱蓄熱材を、潜熱蓄熱剤を封入した容体として特定したが、収納凹部１５内において、潜熱蓄熱剤を密封可能に収容することができるのであれば、潜熱蓄熱材そのものが、潜熱蓄熱剤であってもよい。
【００３６】
ここで、潜熱蓄熱材１７の蓄熱状態とは、外部からの熱により潜熱蓄熱材１７の潜熱蓄熱剤が溶融して、その熱を蓄熱している状態のことをいい、このときには、潜熱蓄熱剤の温度は、相変化温度（融点）以上の温度にある。一方、潜熱蓄熱材１７の放熱状態とは、蓄熱状態において蓄熱した熱を、外部に放熱する状態をいい、このときは、潜熱蓄熱材の温度は、相変化温度（融点）で所定の時間保持される。
【００３７】
そして、木質系床材１０の表面１１ａには、第１の示温材３１と第２の示温材３２とが配置されている。具体的には、第１の示温材３１は、潜熱蓄熱材（具体的には潜熱蓄熱剤）１７の相変化温度（変色温度Ｔｅ１）と同じ温度で変色する可逆式の示温インキである。たとえば、潜熱蓄熱剤の相変化温度（融点）が２５℃である場合には、第１の示温材３１は、２５℃で（同じ温度）変色する（変色を視認できる）示温インキである。
【００３８】
一方、第２の示温材３２は、蓄熱された潜熱蓄熱材１７が放熱状態にあるときの木質系床材１０の表面温度（変色温度Ｔｅ２）と同じ温度で変色する可逆式の示温インキである。ここで、潜熱蓄熱材１７が放熱状態にあるときには、潜熱蓄熱材１７が相変化温度(たとえば２５℃）で略一定になることを、第２の示温材３２で利用している。
【００３９】
すなわち、潜熱蓄熱材１７が相変化温度で一定となっているときに、潜熱蓄熱材１７から木質系基材１１を介して単位時間あたり一定の熱量が放熱されるので、木質系床材１０の表面温度は、相変化温度（変色温度Ｔｅ１、たとえば２５℃）よりもやや低い温度（たとえば２２℃）で一定となる。第２の示温材はこの温度（変色温度Ｔｅ２、たとえば２２℃）と同じ温度で変色するものを選定する。この変色温度Ｔｅ２は、予め実験等により決めることができる。
【００４０】
また、第１および第２の示温材の変色は、その変色温度（たとえば第１の示温材の場合、２５℃、第２の示温材の場合、２２℃）以上になったことが認識できるような変色であり、温度低下とともに元の色の状態に戻る可逆式のものであればよく、その温度に到達したことが変色により繰り返し判断することができるものであれば、必ずしもその変色温度で変色が開始しなくてもよい。
【００４１】
第１および第２の示温材は、一般的に市販されている示温インキであり、たとえば、電子供与性呈色性有機化合物とフェノール性水酸基含有化合物とアルコール性水酸基含有化合物とを主成分とする示温剤のように、有機系染料や有機系顔料等の有機化合物を用いた示温剤や、銅のような遷移金属の錯塩化合物であるサーモクロミズム性物質などを含有する金属錯塩化合物を用いた示温剤など公知の示温剤を挙げることができ、これらの成分の配合の割合を変えることにより、変色温度を変化させることができる。
【００４２】
市販の示温インキとしては、サーマルカラーＯＲ−２０（（株）記録素材総合研究所製）などを挙げることができ、示温インキの替わりに、示温テープ、示温ラベル、示温シールなどであってもよい。市販の示温シールとしては、メデシルカラー（日油技研工業（株）製）などを挙げることができる。
【００４３】
そして、このようにして得られた木質系床材１０は、図２に示すように、示温材を設けていない他の木質系床材１０’とともに、実接合されて、床下地面７１ａの上に敷設される。なお、ここでは、本実施形態に係る木質系床材１０は、示温材を設けていない他の木質系床材１０’に実接合されたが、すべての床材が木質系床材１０であってもよく、必要に応じた箇所に、木質系床材１０をさらに敷設してもよい。
【００４４】
図３は、図１に示す木質系床材の表面温度Ｔ１および潜熱蓄熱材の温度Ｔ２の温度プロフィールの一例と、これに対応する第１および第２の示温材の変色の状態と、を示したグラフである。図３の木質系床材の表面温度Ｔ１および潜熱蓄熱材の温度Ｔ２の時間経過に伴う温度プロフィールを説明し、これに伴う第１および第２の示温材の変色の状態を以下に説明する。
【００４５】
図３に示すように、時刻ｔ０以前では、木質系床材の表面温度Ｔ１、および潜熱蓄熱材の温度Ｔ２は、いずれも、変色温度Ｔｅ１，Ｔｅ２よりも低いので、第１の示温材３１および第２の示温材３２は共に変色していない。
【００４６】
この状態では、潜熱蓄熱材１７が蓄熱および放熱されていないと、目視で容易に判断することができる。そして、木質系床材を含む床材の表面に日射光を照射させたり、室内の暖房を運転したりすることにより、木質系床材の表面に日射光、暖房等による熱を入熱し、潜熱蓄熱材１７への蓄熱を促す。
【００４７】
そして、木質系床材１０の表面に日射光、暖房等により入熱されると、これに伴い木質系床材の表面温度Ｔ１と、潜熱蓄熱材の温度Ｔ２とが上昇する。ここで、まず、時刻ｔ０において、木質系床材の表面温度Ｔ１が、第２の示温材の変色温度Ｔｅ２に到達し、第２の示温材３２が変色する。
【００４８】
木質系床材１０の表面がさらに入熱されると、木質系床材の表面温度Ｔ１と、潜熱蓄熱材の温度Ｔ２とが上昇する。そして、時刻ｔ１において、木質系床材の表面温度Ｔ１が、第１の示温材の変色温度（すなわち潜熱蓄熱剤の相変化温度）Ｔｅ１に到達し、第１の示温材３１が変色する。
【００４９】
さらに、時刻ｔｃまで木質系床材１０の表面が入熱されると、この間（時刻ｔ１〜ｔｃの間）のある時刻で、潜熱蓄熱材の温度Ｔ２が相変化温度（変色温度Ｔｅ１）に到達して、潜熱蓄熱剤は溶融し、この段階で、潜熱蓄熱材の蓄熱が開始される。すなわち、このときには、第１の示温材３１および第２の示温材３２が共に変色している。したがって、本実施形態の場合には、第１の示温材３１および第２の示温材３２が共に変色している場合、潜熱蓄熱材１７が蓄熱されている（蓄熱状態）と推定することができる。この場合には、潜熱蓄熱材１７への蓄熱を促すための室内暖房の運転等をさらに行わなくてもよい。
【００５０】
次に、時刻ｔｃを過ぎると、木質系床材１０の表面への入熱が無くなる。これに伴い、木質系床材の表面温度Ｔ１が低下し、少し遅れて潜熱蓄熱材の温度Ｔ２が低下する。さらに、時刻ｔ２を経過すると、木質系床材の表面温度Ｔ１が、第１の示温材３１の変色温度Ｔｅ１を下回り、変色していた第１の示温材３１が元の色に戻る（変色なしの状態になる）。
【００５１】
そして、時刻ｔ４までの間に、潜熱蓄熱材１７が放熱される。ここで、時刻ｔ３から時刻ｔ４までの間、潜熱蓄熱材１７の温度は、相変化温度（変色温度Ｔｅ１）で一定温度に保持され、このときまで、第２の示温材３２の温度は変色温度Ｔｅ２に保持され、第２の示温材３２のみ、変色した状態が維持される。
【００５２】
このことから、時刻ｔ２〜ｔ４までの間の状態のように、第１の示温材３  １が変色せず、第２の示温材３２のみが変色している場合には、潜熱蓄熱材１７が放熱されている（放熱状態）と推定できる。この際には、潜熱蓄熱材１７に蓄熱されたエネルギを有効に活用することができる。さらに、時刻ｔ４を過ぎたときに、第２の示温材３２の変色が元の状態に戻るので、このときには、潜熱蓄熱材１７による放熱が完了したと推定できる。このようにして、潜熱蓄熱材の状態を把握することにより、日射光、室内暖房等の熱を有効に活用することができる。
【００５３】
〔第２実施形態（第１の発明）〕
図４は、第１の発明の第２実施形態に係る木質系床材の模式的斜視図であり、（ａ）は、床面（表面）側の木質系床材の斜視図、（ｂ）は、裏面側の木質系床材の分解斜視図である。図５は、図４に示す木質系床材を床面に敷設したときの断面図である。
【００５４】
第２実施形態の木質系床材が、第１実施形態のものと相違する点は、木質系床材にさらに第３の示温材を設けた点である。したがって、第１実施形態と同じ部材および部分に関しては、同じ符号を付してその詳細な説明は省略する。
【００５５】
具体的には、図４および図５に示すように、木質系基材１１の表面１１ａには、裏面側に形成された収納凹部１５にまで貫通する貫通孔１９が形成されている。貫通孔１９には、潜熱蓄熱材１７に当接するように、円柱状の透明の樹脂材３４が嵌挿されている。樹脂材３４と潜熱蓄熱材１７とが当接する部分には、潜熱蓄熱材（の潜熱蓄熱剤）１７の相変化温度と同じ温度で変色する第３の示温材３３が配置されている。また、第３の示温材３３の変色温度Ｔｅ３は、第１の示温材の変色温度Ｔｅ１と同じ温度であり、第３の示温材３３は、上述した第１の示温材３１と同じの示温インクを用いることができる。
【００５６】
このように、透明な樹脂材３４を用いることにより、木質系基材１１の表面側から、樹脂材３４を介して、潜熱蓄熱材１７（の容体１７ａ）と樹脂材３４との間に配置された第３の示温材３３を、視認することができる。そして、第３の示温材３３の変色により、潜熱蓄熱材１７が相変化温度以上となったことを確認することができる。ここで、樹脂材３４としては、第３の示温材３３を視認することができる材料であれば、特に限定されるものではなく、たとえばアクリル樹脂、ポリカーボネート樹脂、またはエポキシ樹脂などを挙げることができる。また、樹脂材３４の替わりに透明なガラス材を用いてもよい。
【００５７】
ここで、第３の示温材３３を配置するにあたって、まず、木質系基材１１の所望の位置に、ドリルにより貫通孔１９を穿削する。次に、樹脂材３４の先端側に、第３の示温材３３を配置する（示温インクの場合には塗布する）。樹脂材３４の先端を、木質系基材１１の表面側から、貫通孔１９に嵌挿し、樹脂材３４の先端の第３の示温材３３を、潜熱蓄熱材１７に当接させる。このようにして、図５に示す、木質系床材１０Ａを得ることができる。
【００５８】
図６は、図４に示す木質系床材の表面温度Ｔ１および潜熱蓄熱材の温度Ｔ２の温度プロフィールの一例と、これに対応する第１〜第３の示温材の変色の状態と、を示したグラフである。まず、図６の木質系床材の表面温度Ｔ１および潜熱蓄熱材の温度Ｔ２の時間経過に伴う温度プロフィールは、図３の第１実施形態で示したものと略同じであり、以下に、この温度プロフィールに伴う第１〜第３の示温材の変色の状態を説明する。なお、図６に示す、第１および第３の示温材の変色温度Ｔｅ１，Ｔｅ３は同じ温度である。
【００５９】
図６に示すように、時刻ｔ０以前では、第１、第２、および第３の示温材３１，３２，３３は変色していない。この状態では、潜熱蓄熱材１７が蓄熱および放熱されていないと、目視で容易に判断することができる。そして、木質系床材を含む床材の表面に日射光を照射させたり、室内の暖房を運転したりすることにより、床材の表面へ日射光、暖房等による熱を入熱し、潜熱蓄熱材１７への蓄熱を促す。
【００６０】
木質系床材１０Ａの表面に日射光、暖房等により入熱されると、これに伴い木質系床材の表面温度Ｔ１と、潜熱蓄熱材の温度Ｔ２とが上昇する。ここで、まず、時刻ｔ０において、木質系床材の表面温度Ｔ１が、第２の示温材の変色温度Ｔｅ２に到達し、第２の示温材３２が変色する。さらに、木質系床材の表面温度Ｔ１と、潜熱蓄熱材の温度Ｔ２とが上昇し、時刻ｔ１において、木質系床材の表面温度Ｔ１が、第１の示温材の変色温度Ｔｅ１に到達し、第１の示温材３１が変色する。
【００６１】
さらに、時刻ｔｃまで木質系床材１０Ａの表面が入熱されると、この間（時刻ｔ１〜ｔｃの間）の時刻ｔｓで、潜熱蓄熱材の温度Ｔ２が、第３の示温材の変色温度Ｔｅ３に到達する。このとき、第３の示温材３３が変色する。変色温度Ｔｅ３は、潜熱蓄熱剤の相変化温度であるので、潜熱蓄熱剤は溶融し始め、この段階で、潜熱蓄熱材１７の蓄熱が開始される。
【００６２】
したがって、第１及び第２の示温材３１，３２が変色している状態で、第３の示温材３３が変色し始めたときに、潜熱蓄熱材１７への蓄熱の開始を判断することができる。そして、第１、第２、および第３の示温材３１，３２，３３のすべてが変色している場合（図の時刻ｔｓ〜時刻ｔ２までの期間）には、潜熱蓄熱材１７が蓄熱されている（蓄熱状態）と確実に判断できる。この場合には、潜熱蓄熱材１７への蓄熱を促すための室内暖房の運転等をさらに行わなくてもよい。
【００６３】
そして、少なくとも時刻ｔ２から時刻ｔ３’までの間に、潜熱蓄熱材１７が放熱される。ここで、時刻ｔ３から時刻ｔ３’までの間、潜熱蓄熱材１７の温度は、相変化温度（変色温度Ｔｅ３）で一定温度に保持され、このときまで、第２の示温材３２の温度は変色温度Ｔｅ２に保持され、第２の示温材３２と第３の示温材３３が、変色した状態に維持される。
【００６４】
このことから、時刻ｔ２〜ｔ３’までの間の状態のように、第１の示温材３１が変色せず、第２および第３の示温材３２，３３が変色している場合には、潜熱蓄熱材１７が放熱されている（放熱状態）と判断できる。さらに、温度が降下し、時刻ｔ３’で、第３の示温材３３が元の色に戻り始めた時に、放熱終了が判断できる。したがって、時刻ｔ３’〜時刻ｔ４において、第２の示温材３２が変色をしている場合であっても、潜熱蓄熱材１７の放熱は終了しているので、この場合には、潜熱蓄熱材１７への蓄熱を促すための室内暖房の運転等を行なうことで、日射光、室内暖房等の熱を有効に活用することができる。
〔第３実施形態（第２の発明）〕
図７は、第３実施形態（第２の発明）に係る木質系床材１０Ｂを床面に敷設したときの断面図である。第３実施形態の木質系床材が、第２実施形態のものと相違する点は、木質系床材に第２の示温材を設けていない点である。したがって、第２実施形態と同じ部材および部分に関しては、同じ符号を付してその詳細な説明は省略する。
【００６５】
ここで、本実施形態における第３の示温材３３は、第２の発明の第２の示温材に相当するものであり、本実施形態では、第１および第３の示温材３１，３３により、潜熱蓄熱材１７の状態を判断する。
【００６６】
図８は、図７に示す木質系床材の表面温度Ｔ１および潜熱蓄熱材の温度Ｔ２の温度プロフィールの一例と、これに対応する第１および第３の示温材の変色の状態と、を示したグラフである。
【００６７】
まず、図８の木質系床材の表面温度Ｔ１および潜熱蓄熱材の温度Ｔ２の時間経過に伴う温度プロフィールは、図６の第２実施形態で示したものと略同じであり、以下に、この温度プロフィールに伴う第１および第３の示温材の変色の状態を説明する。なお、図８では、第１および第３の示温材の変色温度Ｔｅ１，Ｔｅ３は同じ温度である。
【００６８】
図８に示すように、時刻ｔ１以前では、第１および第３の示温材３１，３３が共に変色していない。この状態では、潜熱蓄熱材１７が蓄熱および放熱されていないと、目視で容易に判断することができる。そして、木質系床材を含む床材の表面に日射光を照射させたり、室内の暖房を運転したりすることにより、床材の表面へ日射光、暖房等による熱を入熱し、潜熱蓄熱材１７への蓄熱を促す。
【００６９】
木質系床材１０Ｂの表面に日射光、暖房等により入熱されると、これに伴い木質系床材の表面温度Ｔ１と、潜熱蓄熱材の温度Ｔ２とが上昇する。ここで、まず、時刻ｔ１において、木質系床材の表面温度Ｔ１が、第１の示温材の変色温度Ｔｅ１に到達し、第１の示温材３１が変色する。ここで、第１の示温材３１が変色し始めて、第３の示温材３３が変色していない場合には、以下に示すように潜熱蓄熱材１７の蓄熱が開始される可能性があると判断できる。
【００７０】
さらに、時刻ｔｃまで木質系床材１０の表面が入熱されると、この間（時刻ｔ１〜ｔｃの間）の時刻ｔｓで、潜熱蓄熱材の温度Ｔ２が、第３の示温材の変色温度Ｔｅ３に到達する。このとき、第３の示温材３３が変色する。変色温度Ｔｅ３は、潜熱蓄熱剤の相変化温度であるので、潜熱蓄熱剤は溶融し始め、この段階で、潜熱蓄熱材１７の蓄熱が開始される。
【００７１】
したがって、第１の示温材３１が変色した状態で、第３の示温材３３が変色し始めたときに、潜熱蓄熱材１７への蓄熱の開始を判断することができる。そして、第１および第３の示温材３１，３３が共に変色している場合（図の時刻ｔｓ〜時刻ｔ２までの期間）には、潜熱蓄熱材１７が蓄熱されている（蓄熱状態）と確実に判断できる。この場合には、潜熱蓄熱材１７への蓄熱を促すための室内暖房の運転等をさらに行わなくてもよい。
【００７２】
つぎに、時刻ｔ２〜時刻ｔ３’までの間に、潜熱蓄熱材１７が放熱される。ここで、時刻ｔ３から時刻ｔ３’までの間、潜熱蓄熱材の温度Ｔ２は、相変化温度すなわち変色温度Ｔｅ１（Ｔｅ３）で一定温度に保持され、このときまで、第３の示温材３３が、変色した状態に維持される。
【００７３】
このことから、時刻ｔ２〜ｔ３’までの間の状態のように、第１の示温材３３が変色せず、第３の示温材３３が変色している場合には、潜熱蓄熱材１７が放熱されている（放熱状態）と判断できる。さらに、温度が降下し、時刻ｔ３’で、第３の示温材３３が元の色に戻り始めた時に、放熱終了が判断できる。このように潜熱蓄熱材１７の放熱は終了している場合には、潜熱蓄熱材１７への蓄熱を促すための室内暖房の運転等を行なうことで、日射光、室内暖房等の熱を有効に活用することができる。
【００７４】
以上、本発明の実施形態について詳述したが、本発明は、前記の実施形態に限定されるものではなく、特許請求の範囲に記載された本発明の精神を逸脱しない範囲で、種々の設計変更を行うことができるものである。
【００７５】
たとえば、第２および第３の実施形態では、樹脂材の先端側に配置された第３の示温材は、潜熱蓄熱材の容体に当接していたが、容体内の潜熱蓄熱剤そのものに接触していてもよく、潜熱蓄熱材が、潜熱蓄熱剤のみからなる場合も同様に、第３の示温材を、潜熱蓄熱剤そのものに接触させることになる。
【符号の説明】
【００７６】
１０，１０Ａ，１０Ｂ：木質系床材、１１：木質系基材、１１ａ：表面、１１ｂ：裏面、１２ａ：雄実部、１２ｂ：雌実部、１５：収納凹部、１５ａ：底部、１５ｂ：開口部、１７：潜熱蓄熱材、１７ａ：容体、１９：貫通孔、３１：第１の示温材、３２：第２の示温材、３３：第３の示温材、３４：樹脂材、Ｔ１：木質系床材の表面温度、Ｔ２：潜熱蓄熱材の温度
【図１】
0005816477.tif 000002
【図２】
0005816477.tif 000003
【図３】
0005816477.tif 000004
【図４】
0005816477.tif 000005
【図５】
0005816477.tif 000006
【図６】
0005816477.tif 000007
【図７】
0005816477.tif 000008
【図８】
0005816477.tif 000009